(57)【要約】【課題】  第１のコンテンツの時間経過と同期して秒単位で変化するテレビ番組の「シーン」や「コーナー」と時間的に同期したキーワードの抽出方法と、それに基づくウェブページなとの所定の形態のコンテンツの検索・表示を行う情報検索方法、情報表示装置及びプログラムを提供する。【解決手段】  情報提示装置に、ＡＶコンテンツ（例えばＴＶ番組や映画など）を出力するＡＶコンテンツ出力部と、当該ＡＶコンテンツ出力部で出力中のコンテンツに含まれるシーン（場面）に関連するキーワードに対応するウェブページを、ユーザがキーワードをいちいち選択するのではなく、前記出力部のＡＶコンテンツと共に出力させ、このコンテンツの内でシーンが変わったとき、この変わったシーンに対応するウェブページに自動的に更新するウェブページ出力部を備える。【選択図】  図８
2009010797.tif 000002
【特許請求の範囲】
【請求項１】
ＡＶコンテンツを出力するＡＶコンテンツ出力部と、
当該ＡＶコンテンツ出力部で出力中のコンテンツに含まれるシーンに関連するキーワードに対応するウェブページを前記出力部のＡＶコンテンツと共に出力させるウェブページ出力部とを有する情報提示装置。
【請求項２】
請求項１の情報提示装置であって、
前記ウェブページ出力部は、前記コンテンツの内でシーンが変わったとき、当該変わったシーンに対応するウェブページに更新して出力する情報提示装置。
【請求項３】
請求項１の情報提示装置であって、
前記ＡＶコンテンツ出力部で出力中のコンテンツに含まれるシーンに関連するキーワードに基づいてインターネットで検索するウェブページ検索部を有する情報提示装置。
【請求項４】
請求項１の情報提示装置であって、
前記ＡＶコンテンツ出力部で出力中のコンテンツに含まれるシーンに関連するキーワードを表示するキーワード出力部と、
前記ウェブページ出力部による出力と、前記キーワード出力部による出力とを切り替える切替部とを有する情報提示装置。
【請求項５】
請求項１の情報提示装置であって、
前記ＡＶコンテンツ出力部で出力中のコンテンツに含まれるシーンに関連するキーワードを、ＡＶコンテンツに含まれる字幕、テロップ、データ放送、文字放送の少なくともいずれかから抽出するキーワード抽出部を有する情報提示装置。
【請求項６】
請求項１の情報提示装置であって、
前記ウェブページ出力部は、ウェブページのうちテキスト部を出力する情報提示装置。
【発明の詳細な説明】
【技術分野】
【０００１】
技術分野は、情報の検索及び／又は検索結果の表示に関する。特に、インターネットなどを経由して情報を検索する情報検索方法、及び検索された情報を表示する情報表示装置、並びに情報検索や表示を実行するプログラムに関し、特にテレビジョン受像機のように放送番組などのコンテンツを表示する装置に適用して好適な技術に関する。
【背景技術】
【０００２】
上記技術分野について、例えば特許文献１には、「特別に複雑な操作を必要とすることなく、簡単に広い範囲から様々な情報を検索することができるようにする。」ことを課題とし、その解決手段として「受信した放送番組などの第１のコンテンツの表示などの処理を行うと共に、その処理された第１のコンテンツに関連したキーワードを抽出して表示し、表示されたキーワードに基づいてインターネット上のウェブページなとの所定の形態の第２のコンテンツの検索を行い、その検索で探し出された第２のコンテンツを表示するようにした。また、例えばキーワードとして番組に関連したものを複数表示させて、ユーザ操作で選べるようにした。」と記載している。
【０００３】
【特許文献１】特開２００５−１１５７９０号公報「情報検索方法、情報表示装置及びプログラム」
【発明の開示】
【発明が解決しようとする課題】
【０００４】
しかしながら特許文献１では、第１のコンテンツに関連するキーワードが極めて多数存在する場合でも、第２のコンテンツの検索に用いるキーワードのリストを同時に表示してユーザに選択させる方法を取らざるを得ない。従ってユーザは膨大な数のキーワードリスト等から１つのキーワードを選択するというストレスを受けることもありうる。また、特許文献１ではキーワードを絞って選択させることについての考慮も十分ではない。
【課題を解決するための手段】
【０００５】
そこで本出願では例えば、第１のコンテンツの時間経過と同期して秒単位で変化するテレビ番組の「シーン」や「コーナー」と時間的に同期したキーワードの抽出、及び／又は、それに基づくウェブページなとの所定の形態のコンテンツの検索・表示を行う情報提示方法、及びプログラムを提供する。
【０００６】
具体例として、情報提示装置に、ＡＶコンテンツ（例えばＴＶ番組や映画など）を出力するＡＶコンテンツ出力部と、当該ＡＶコンテンツ出力部で出力中のコンテンツに含まれるシーン（場面）に関連するキーワードに対応するウェブページを、ユーザがキーワードをいちいち選択したりするのではなく、前記出力部のＡＶコンテンツと共に出力させ、このコンテンツの内でシーンが変わったとき、この変わったシーンに対応するウェブページに自動的に更新するウェブページ出力部を備える。
【発明の効果】
【０００７】
ＡＶ機器の複雑な操作に馴染めないユーザに対してもテレビを見ながら関連するウェブページを閲覧するというテレビ視聴環境を提供することができる。
【発明を実施するための最良の形態】
【０００８】
本発明に好適な実施形態の例（実施例）を説明する。ただし、本発明は本実施例に限定されない。
【０００９】
本実施例は、インターネットなどを経由して情報を検索する情報検索方法、及び検索された情報を表示する情報表示装置、並びに情報検索や表示を実行するプログラムに関し、特にＡＶ機器（テレビジョン受像機やレコーダやセットトップボックス）のように放送番組や映画などのＡＶコンテンツを出力する装置に適用して好適な技術に関する。
【００１０】
＜ハードウェア構成＞
図１は、装置のハードウェアの構成例を示した図である。本実施例では、動画を表示可能な表示部を備えた（内蔵した）機器としてあり、テレビジョン受像機やコンピュータ装置などの各種情報表示装置に適用可能である。ただし、表示部が別体（外付け）であってもよい。表示部を内蔵の装置と、外付けの装置とを総称して情報提示装置とも呼ぶ。
【００１１】
装置の動作を制御する中央制御ユニット（ＣＰＵ）１２００１に、ＲＯＭ１２００２とＲＡＭ１２００３が内部バスラインを介して接続してあり、さらに外部のネットワークと接続するためのネットワークインターフェース１２００４を備える。ＣＰＵ１２００１は、後述する情報検索処理を実行する制御部として機能し、接続されたメモリ１２００２，１２００３が後述するキーワードリストの記憶部としても機能する。また、情報検索処理を実行させるプログラムが、ＲＯＭ１２００２又はＲＡＭ１２００３に実装させてあり、そのプログラムに基づいてＣＰＵ１２００１が情報検索処理を実行する。ＲＡＭ１２００３などの記憶部については、半導体メモリの他に、ハードディスクなどの記憶部を使用しても良く、或いはメモリカードなどの着脱自在の記憶部であってもよい。ハードディスクなどの大容量の記憶部（記録部）を備えた場合には、例えばテレビジョン受像機の場合、放送番組を蓄積する録画機能を備えてもよい。
【００１２】
ネットワークインターフェース１２００４としては、例えば、アナログ電話回線用のアナログモデム、ＩＳＤＮ回線用のモデム、ＡＤＳＬ（Asymmetric Digital Subscriber Line）用のルータ又はモデム、ＬＡＮ（Local Area Network：構内情報通信網）用のアダプタ、無線電話用のアダプタ、Bluetooth（商標）などの無線通信用のアダプタなどが適用可能である。これらの構成のインタフェース１４を経由して、インターネットに接続できる構成としてある。
【００１３】
また、各種情報や動画の表示制御を行うためのグラフィックコントローラ１２００９を備える。このグラフィックコントローラ１２００９に映像データを保持するＶＲＡＭ１２０１０が接続してあり、グラフィックコントローラ１２００９の制御で描画された映像を、表示部１２００８で表示させる。表示部１２００８としては、液晶表示パネルなどの表示部が使用される。なお、表示部１２００８には、図示しないチューナが受信した映像信号や外部から入力した映像信号（例えばビデオ再生装置から再生した映像信号）による映像（画像）を表示させることもできる。これらの映像信号による映像と、後述するインターネットのウェブページなどによる映像とは、グラフィックコントローラ１２００９の制御で、１つの画面上に同時に表示させることも可能であり、また後述するキーワードなどの文字情報を重ねて表示させる処理も可能である。
【００１４】
また、各種操作キー，操作ボタンなどで構成される操作部１２００６と、その操作部１２００６の操作を受け付けるユーザインターフェースコントローラ１２００５を備え、ユーザインターフェースコントローラ１２００５が受け付けた操作データがＣＰＵ１２００１に供給される。また、受光部１２００７が受光（受信）した赤外線信号を、ユーザインターフェースコントローラ１２００５で判別する構成としてあり、リモートコントロール装置などからの遠隔制御も可能としてある。
【００１５】
図１及び以降の説明では、表示された情報に基づいた検索とその検索結果に基づいた表示を行う部分を中心に説明するため、放送信号を受けるチューナや、デマルチプレックサ（デマックス）や、デコーダなどの例えばＭＰＥＧ形式のＡＶコンテンツを受信して再生するための基本的な構成の詳細については省略しているが、実装している。
【００１６】
＜画面例＞
図２と図３を用いて、表示部１２００８に表示してユーザＩ／Ｆ１２００５で指示入力を受けるためのインタフェース画面の構成例を説明する。図３は図２のウェブページ表示領域を縮退して、代わりにテレビ番組表示領域を拡張した構成となっている。
【００１７】
なお、ＡＶコンテンツの例としてテレビ番組を、ＡＶコンテンツの関連情報を取得する情報源としてウェブページを例示しているがそれぞれ限定されない。例えば、内蔵した電子百科事典でもよい。ＡＶコンテンツはＤＶＤに記録された映画やインターネットで配信される映画でもよい。一方、ＡＶコンテンツの関連情報を取得する情報源としては装置に内蔵された情報でもよい。
【００１８】
図２のインタフェース画面８００１の各インタフェース要素について説明する。
【００１９】
テレビ番組表示画面８００２は、テレビ映像表示領域８００３と、テレビ映像表示の一時停止ボタン、停止ボタン、戻るボタン、進むボタン、テレビコンテンツスクロールバーなどを備えたテレビ表示操作領域８００４を含む。テレビのチャンネル切り替えボタンや音量調節ボタンを含む従来テレビが備えた機能は、従来テレビと同様にリモコンに搭載してもテレビ表示操作領域８００４に付加してもよい。また、テレビ表示操作領域８００４に１０分前に戻るボタンのような一定時間だけ戻ったところから表示する機能を付加してもよい。
【００２０】
ウェブページ表示画面８００５及び８００９は、それぞれウェブページ表示領域８００６及び８０１０と水平スクロールバー８００７、８０１１と垂直スクロールバー８００８、８０１２から構成される。ウェブページ表示画面８００５にはテレビ番組を構成する映像、字幕、テロップ、データ放送、文字放送などから抽出したキーワードに基づいて検索されたウェブページを表示する。ウェブページ表示画面８００９には、電子番組表や録画番組リストなどを表示する。
【００２１】
ウェブページをコントロールするために標準的なブラウザが備えている戻るボタン、進むボタン、更新ボタン、ホームボタンなどはウェブページコントロールボタン群８０１３に配置する。
【００２２】
ウェブページアドレス入力領域８０１４と検索実行ボタン８０１５は標準的なブラウザが備えている機能と同じ機能を持つ。
【００２３】
キーワード表示領域８０１６には、テレビ番組の時間経過と同期して抽出されたキーワードを抽出された時刻が新しい順に３つ選択して表示する。キーワード表示領域８０１６が表示するキーワードの数は、ユーザが閲覧していてストレスを感じない程度の数を設定してもよい。
【００２４】
放送時刻表示領域８０１７には、テレビ番組の放送開始時刻を０時０分０秒とした放送時間経過を＃時＃分＃秒の形式で表示する。
【００２５】
図３は情報検索方法及び情報表示装置のインタフェース画面９００１を表す。インタフェース画面９００１は、図２のウェブページ表示画面８００５及び８００９と、ウェブページコントロールボタン群８０１３と、ウェブページアドレス入力領域８０１４と検索実行ボタン８０１５を縮退して代わりにテレビ番組表示画面８００２を拡張した構成であり、下記のインタフェース要素で構成されている。
【００２６】
テレビ番組表示画面９００２は、テレビ映像表示領域９００３と、テレビ映像表示の一時停止ボタン、停止ボタン、戻るボタン、進むボタン、テレビコンテンツスクロールバーなどを備えたテレビ表示操作領域９００４とキーワード表示領域８０１６とから構成される。図２の説明と同様に、テレビのチャンネル切り替えボタンや音量調節ボタンを含む従来テレビが備えた機能は、従来テレビと同様にリモコンに搭載してもテレビ表示操作領域９００４に付加してもよい。また、テレビ表示操作領域９００４に１０分前に戻るボタンのような一定時間だけ戻ったところから表示する機能を付加してもよい。
【００２７】
＜装置の機能構成＞
図４は、情報提示装置の機能、例えばＲＯＭ１２００２やＲＡＭ１２００３やＨＤＤなどの記憶部に格納されたプログラムやデータを用いてＣＰＵ１２００１が実行する機能の構成例を示したブロック図を表す。
【００２８】
情報提示装置は、キーワードリスト作成部１００１と、キーワード管理部１００２と、ウェブページ取得部１００３と、情報表示部１００４とを備える。以下、キーワードをＫＷとも呼ぶ。
【００２９】
＜ＫＷリスト作成部１００１＞
図５は、ＫＷリスト作成部１０１の詳細を示す。
【００３０】
ＫＷ抽出部５００１は、テレビ番組を構成する映像、字幕、テロップ、データ放送、文字放送などからＫＷ（番組内ＫＷ、ＡＶコンテンツ上ＫＷ）を抽出する。
【００３１】
ウェブページ内ＫＷ収集部５００２は、ウェブページ選択部３００２が保持するウェブページ優先順リスト３００３に登録されたウェブページを事前に（ＡＶコンテンツの再生や受信前に）調べて、調べた結果見つかったウェブページ内に含まれるＫＷ（ウェブページ内ＫＷ、ウェブコンテンツ内ＫＷ）を収集する。
【００３２】
ウェブページ内ＫＷ分類部５００３は、図示しないジャンル別辞書などと照合して、ウェブページ内ＫＷ収集部５００２が収集したウェブページ内ＫＷが示すジャンルやこのウェブページ内ＫＷが含まれていたウェブページが示すジャンルを検出し、ウェブページ内ＫＷをニュース、スポーツ、ミュージック、ショッピング、ファイナンスなどに分類する。
【００３３】
ウェブページ内ＫＷ収集部５００２とウェブページ内ＫＷ分類部５００３によって、後述する無関係ＫＷ棄却部２００７により無関係なＫＷを取り除くことができ、ユーザに余計なＫＷやそのＫＷによって検索されたウェブページ等を見せない画面構成にできる。なお、これらのうちウェブページ内ＫＷ収集部５００２のみ採用又は両方を採用しなくともよい。なお、「ＫＷ候補リスト」はウェブページ内ＫＷのリストを表し、ウェブページ内ＫＷ収集部５００２は、「ＫＷ候補リスト」を出力する。
【００３４】
＜ＫＷ管理部１００２＞
図６は、ＫＷ管理部１００２の詳細を示す。
【００３５】
ＫＷ管理部１００２は、ＫＷとその出現時刻を一対として複数登録することが可能なＫＷリスト２００１と、ＫＷ選択部２００２と、取り出されたＫＷの対として登録された時刻とテレビ番組の放送時刻を比較して一致した場合にそのことを知らせるＫＷ比較部２００６とを備える。
【００３６】
ＫＷ選択部２００２は、ＫＷリスト２００１に登録されたＫＷを時刻が古い順に取り出すＫＷ取り出し部２００３と、新しく取り出されたＫＷを１つ前に取り出されたＫＷと比較した結果、同じＫＷであることが分かった場合に新しく取り出されたＫＷを棄却する同一ＫＷ棄却部２００４と、新しく取り出されたＫＷの出現時刻を１つ前に取り出されたＫＷの出現時刻と比較した結果、両ＫＷの出現時刻が所定の時間間隔に入る場合に新しく取り出されたＫＷを棄却する連続出現ＫＷ棄却部２００５とを備える。
【００３７】
図７は、ＫＷリスト２００１の具体例を示す。ＫＷリスト２００１には、ＫＷ７００２とその出現時刻７００３とジャンル７００４を一対として複数登録することが可能である。ＫＷリスト２００１はＫＷリスト作成部１００１から出力される。
【００３８】
ＫＷリスト２００１は、ＫＷリスト作成部１００１を構成するＡＶコンテンツ内キーワード抽出部５００１がＡＶコンテンツ再生時刻と同期して順次抽出するＫＷリストと、ウェブページ内キーワード収集部５００２が抽出したＫＷにウェブページ内キーワード分類部５００３がジャンルをつけた第２のＫＷリストから構成される。
【００３９】
ＫＷ取り出し部２００３は、ＫＷリスト２００１に登録されたＫＷを時刻が古い順に取り出す。そして後で説明する同一ＫＷ棄却部２００４と連続出現ＫＷ棄却部２００５によるＫＷ棄却を行うことにより有効なＫＷを選別する。
【００４０】
同一ＫＷ棄却部２００４は、同一のＫＷが時間的に連続して取り出された場合に２つめ以降のＫＷを棄却する。同一ＫＷ棄却部２００４により、同一のＫＷで同一のウェブページの検索を繰り返す状態を回避する。
【００４１】
連続出現ＫＷ棄却部２００５は、新しく取り出されたＫＷと１つ前に取り出されたＫＷの出現時刻の時間間隔が短い場合に新しく取り出されたＫＷを棄却する。連続出現ＫＷ棄却部２００５により、ユーザがウェブページを十分に閲覧する前に次のウェブページの検索に入る状態を回避する。
【００４２】
無関係ＫＷ棄却部２００７は、新しく取り出されたＫＷを、ウェブページ内ＫＷを含む第２のＫＷリストと比較した結果、ウェブページ内ＫＷに一致するＫＷが無い（一致しない）場合には、その新しく取り出されたＫＷを棄却する。また、新しく取り出されたＫＷのジャンルと、ウェブページ内ＫＷのジャンルとが一致しない場合にも、その新しく取り出されたＫＷを棄却する。これにより、事前に検索していたウェブページ内ＫＷに対して、ＫＷやそのジャンルが合わないＫＷを棄却することができて、テレビ番組とは無関係なウェブコンテンツが検索・表示される確率を減らす。ジャンルを考慮せずＫＷだけ考慮してもよい。
【００４３】
ＫＷ比較部２００６では、ステップ１１００１で取り出したＫＷの対として登録された時刻とテレビ番組の放送時刻を比較して一致する時刻を検出する。ステップ１１００２では現在時刻とＫＷを保存する。ここで保存した現在時刻とＫＷは、ＫＷ取り出し部２００３が次の新しいＫＷとその出現時刻を取り出した場合、連続出現ＫＷ棄却部２００５で１つ前に取り出されたＫＷの出現時刻として新しいＫＷの出現時刻との比較に用いる。
【００４４】
＜ウェブページ取得部１００３＞
図８は、ウェブページ取得部１００３の詳細を示す。
【００４５】
ウェブページ取得部１００３は、ＫＷ選択部２００２で選択したＫＷに基づいて、インターネットなどを検索するウェブページ検索部３００１と、ウェブページ検索部で検索された複数のウェブページのうち、どのウェブページを表示するかをウェブページ優先順リスト３００３に従って選択するウェブページ選択部３００２とを有する。
【００４６】
ウェブページ検索部３００１は、ＫＷ選択部２００２で選択したＫＷを、例えば所定の検索サイトなどに入力して検索する。また、ＫＷ比較部２００６が検出した時刻と同期をとるよう、検索結果（検索して見つかったウェブページ）にこの時刻を対応付ける。
【００４７】
図９にウェブページ優先順リスト３００３の具体例を示す。ウェブページ優先順リスト３００３は、ウェブページなどの所定の形態のコンテンツとその優先順位を登録し、コンテンツ名称１０００３と優先順位１０００２とを含む。コンテンツ名称１０００３にはウェブページなどの所定の形態のコンテンツを特定できる情報（名称、ＵＲＬ等）を記載する。
【００４８】
ウェブページ選択部３００２は、図９のウェブページ優先順リスト３００３に従って、ウェブページ検索部３００１で見つかったウェブページのうちどれを選択するか決定する。
【００４９】
なお、上述とは逆にウェブページ優先順リスト３００３に検索サイトの優先順を保持しておき、まずウェブページ選択部３００２で優先順位が１位の検索サイトを選択して、ウェブページ検索部３００１で検索し、その検索結果が０件であった場合には、ウェブページ選択部３００２で優先順位が２位の検索サイトを選択するというように、優先順位の順番で検索サイトを選択し、検索されたものをウェブページを取得するとしてもよい。
【００５０】
＜情報表示部１００４＞
図１０は、情報表示部１００４の詳細を示す。
【００５１】
情報表示部１００４は、テレビ番組を構成する映像、字幕、テロップ、データ放送、文字放送などを表示するテレビ番組表示部４００１と、ＫＷ選択部２００２が取り出したＫＷを新しい順に一定数をまとめて表示するＫＷリスト表示部４００２と、テレビ番組の放送時刻を放送開始時刻を０時０分０秒として放送時間経過を＃時＃分＃秒の形式で表示する放送時刻表示部４００３と、当該ＫＷに基づいて検索されたウェブページなとの所定の形態のコンテンツの表示形態に対応して、例えば広告表示や表示装飾を除いた本文のみを表示するなどの方法により、コンテンツの特定部分を選択的に表示するウェブページ選択表示部４００４と、テレビ番組表示部４００１による表示面積とウェブページ選択表示部４００４による表示面積は所定の時間タイミングで変更するか、あるいは、ユーザ操作により変更する画面構成の変形部４００５とを備える。
【００５２】
テレビ番組表示部４００１は、テレビ番組を構成する映像、字幕、テロップ、データ放送、文字放送などを図２のテレビ映像表示領域８００３に表示する。
【００５３】
ＫＷリスト表示部４００２は、ＫＷ選択部２００２が取り出したＫＷを新しい順に所定数をまとめてＫＷ表示領域８０１６に表示する。この表示内容から現在表示されているウェブページなどの所定の形態のコンテンツはどのＫＷから検索されたものかを知ることができる。
【００５４】
放送時刻表示部４００３は、テレビ番組の放送時刻を放送開始時刻を０時０分０秒として放送時間経過を＃時＃分＃秒の形式で放送時刻表示領域８０１７に表示する。この表示内容から放送時刻とＫＷとの対応関係を知ることが出来るため、例えば「１０分前に戻る」というように、テレビ番組と同期して表示されるウェブページなどのコンテンツを時間で指示することができる。
【００５５】
ウェブページ選択表示部４００４は、当該ＫＷに基づいて検索されたウェブページなとの所定の形態のコンテンツの表示形態に対応して、例えば広告表示や表示装飾を除いた本文のみを表示するなどの方法により、ウェブページ表示領域８００６にコンテンツの特定部分を選択的に表示する。これにより、たとえ表示面積が狭い場合でも、ウェブページの重要な部分を選択的に表示することができる。
【００５６】
画面構成の変形部４００５は、テレビ番組表示画面８００２の表示面積とウェブページ選択表示部４００４によるウェブページ表示画面８００５の表示面積を所定の時間タイミングで変更するか、あるいは、ユーザ操作により変更する。例えば、新しいＫＷ検索を行いウェブページが更新された場合に装置のインタフェース画面８００１は図２に示す構成にしてユーザに提示する。その後、ウェブページが更新されることなく所定の時間が経過したら、図３に示す構成に変更するという方法がある。この変形部４００５により、ＫＷ比較部が選択した最新ＫＷにより、ウェブページを検索・表示した後、所定の時間が経過すると自動的にウェブページ表示部分を縮退して、代わりにテレビ番組表示部分を拡張するといった自動制御が可能になるため、ユーザは常に小さな画面でテレビ番組を観なければならないというストレスを受けない。
【００５７】
上述した実施例により、装置を利用するユーザは、テレビ番組に関連したＫＷをリストから選択する方法やキーボードなどを用いたＫＷの入力方法などをあまり意識せず、テレビ画面を見ていることで、テレビ番組に含まれるシーンと同期したＫＷに基づくウェブページなどの所定の形態のコンテンツの検索・表示を行うことができる。このように、ユーザは従来のテレビ視聴スタイルを変える必要がないので、ＡＶ機器の複雑な操作に馴染めないユーザに対してもテレビを見ながら関連するウェブページを同時に閲覧するというテレビ視聴環境を提供することができる。
【図面の簡単な説明】
【００５８】
【図１】装置のハードウェア構成例を示したブロック図
【図２】情報検索方法及び情報表示装置の第１のインタフェース画面例
【図３】情報検索方法及び情報表示装置の第２のインタフェース画面例
【図４】装置の機能構成例
【図５】キーワードリスト作成部の構成例
【図６】キーワード管理部の構成例
【図７】キーワードリストの具体例
【図８】ウェブページ取得部の構成例
【図９】ウェブページ優先順リスト３００３の具体例
【図１０】情報表示部１００４の構成例
【図１】
2009010797.tif 000003
【図２】
2009010797.tif 000004
【図３】
2009010797.tif 000005
【図４】
2009010797.tif 000006
【図５】
2009010797.tif 000007
【図６】
2009010797.tif 000008
【図７】
2009010797.tif 000009
【図８】
2009010797.tif 000010
【図９】
2009010797.tif 000011
【図１０】
2009010797.tif 000012